(57)【要約】      （修正有）【課題】天秤針と、該天秤針に、着脱可能に取り付けられた、ギャング針付ハイブリッド釣り針を提供する。【解決手段】天秤針と、該天秤針に、着脱可能に取り付けられたギャング針とからなる、ハイブリッド釣り針であって、前記天秤針は、連結部と該連結部の両端に設けた針と、前記連結部の略中央部に結合され下端が前記ギャング針に結合する輪部からなる。天秤の原理を利用しているため、海中でも自然に泳いでいる状態を保つことができるので魚の集まりが良く、魚がどの方角から食べても釣り針に掛かる確率が良くなる。【選択図】図１
0003150027.tif 000002
【実用新案登録請求の範囲】
【請求項１】
天秤針と、該天秤針に脱着可能に取り付けられたギャング針とからなる、ハイブリッド釣り針であって、前記天秤針は、連結部と、該連結部の両端に設けた針と、前記連結部の略中央部に結合され、上端が釣り糸に結合し、下端が前記ギャング針に結合する輪部からなることを特徴とするハイブリッド釣り針。
【考案の詳細な説明】
【技術分野】
【０００１】  本考案はイカナゴ、イワシなど、小魚を餌にしているタチウオ、イカ、アナゴ他、魚を釣るための釣り針に関する。
【背景技術】
【０００２】  例えばタチウオなど釣るときには、１本のハリスの下に普通の針を付けて、イカナゴ、イワシの、目の玉に針を刺していた、二股のときには２本のハリスの下に普通の針を付けてイカナゴ、イワシの、頭部と尾部のところに刺していた、またギャング針をハリスで付けていた。
【考案の開示】
【考案が解決しょうとする課題】
【０００３】  従来のものでは、釣りをしている間に、餌の腹部が曲がり自然の状態を保てなくなり、そのために、魚の食いが悪くなる問題や、餌の腹部が曲がるの、で餌が良くとられる問題があった。
【課題を解決するための手段】
【０００４】  天秤針と、該天秤針に着脱可能に取り付けられたギャング針とからなる、ハイブリッド釣り針であって、前記天秤針は、連結部と該連結部の両端に設けた針と、前記連結部の略中央部に結合され、上端が釣り糸に結合し、下端が前記ギャング針に結合する輪部とからなることを特徴とするハイブリッド釣り針。
【考案の実施形態】
【０００５】  本考案のハイブリッド釣り針は、掛かりをよくするために、針を輪で連結して、テグスと針が直線状態になり、魚が針に掛りやすくしギャング針で、掛かりを補助している。
【０００６】  本考案のハイブリッド釣り針は、餌が垂れないように、ゴム、ビニールパイプのようなものを通して、餌の垂れを防いでいる。
【０００７】  この釣り針は２号２の上部に返りを付けているが、この返りは製作時に最初に曲げることで能率よく製作できるようになる、また２号針２の上部を針先側に曲げて、針の中央部くらいで上向きに曲げて輪を上向きにすることで餌が外れにくくすることもできる。
【実施例】
【０００８】  １号針１と３号針３の略中央部に、２号針２を垂直に結合することで、海中で１号針１と３号針３の針が水平になり、１号針１と３号針３の針が垂れないようにゴムまたはビニールのようなものを通すことで、餌の垂れを防ぐことができ、２号針２を長くして上部に重りを結合し、重りの上部に輪部を結合する、１段目の針の２号針２の下部の輪部に、２段目の２号針２の、上部の輪部からのテグスを連結することで深さが調整できる。【０００９】  １号針１と３号針３が水平になる為に、餌の魚が自然に泳いでいる状態を保つので、魚の集まりが自然に良くなっている。【００１０】  ２号針２の下部に輪部を結合している、この輪部にギャング針のスナップを取り付けるようにしている、ギャング針はタチウオ釣りしているときに、イカの当たりがきたらイカも釣れるようになるがタチウオの食いの悪いときにはギャング針を取り外すことができる、２号針２の下部の輪部にハイブリッド釣り針を２段にテグスで連結することで釣れる範囲を広くすることができ、またハイブリツド釣り針りを２段にテグスで連結することで、タチウオ、イカが同時に釣ることができる。【００１１】  浮きが沈みだし１メトルから２メトル位沈んだら様子を見てから、竿を少しずつ持ち上げ誘いをかけて合わせると、時間が短縮できて掛かりやすくなり、飲み込みが少なく針が簡単に外せる。【００１２】  ２号針２の下部にギャング針を連結した場合には、タチウオ、イカが餌を取る時と餌をくわえて走り回るときに、ギヤング針に掛かる確率が良くなり、もしも１号針１と２号針２と３号針３の針に掛かってこなくても、ギャング針に掛かる確率が良くなりイカの場合には小さいイカから、ギヤングバリが曲がらない程度の大きさのイカまで掛かってきます。【００１３】  この針はアナゴを釣る場合にはキャング針を外してから使用します、アナゴは針に掛からない場合でも糸がアナゴ自体に自ら巻き付いた状態で上がってくる場合があるので釣れる確率が良くなります。【００１４】  餌を取り付けるには２号針２の中に餌のＢ頭部Ｂから通し１号針１にＢ餌頭部Ｂの付近目の玉に通す３号針３に餌を少し曲げながらＤ尾部Ｄの付近に刺す。
【考案の効果】
【００１５】  以上のように、本考案の釣り針では天秤の原理を利用しているために、海中でも自然に泳いでいる状態を保つことができるので魚の集まりが良く、１号針１と３号針３の輪にサルカンまたはロットの輪を連結し、連結部が自由に動くためにテグスを引くとテグスと釣り糸が直線になるために、魚がどの方角から食べても釣り針に掛かる確率が良くなり、また餌が外れないように１号針１と３号針３の針がありまた２号針２の上部に返りがあるために餌が外れにくい、針の連結部が動くために餌の取り付けが簡単にできる、またギャング針を２号針２の下部に連結することで魚が釣り針に掛からないときでもギャングバリに掛かり確率が良くなる、また釣り針の飲み込みが少ないために針の取り外しが簡単にできる。
【図面の簡単な説明】
【００１６】
【図１】本考案の第１実施例による釣り針の正面図である。
【図２】本考案の第１実施例による釣り針の上面図である。
【図３】本考案の第１実施例による釣り針に餌を取り付けた正面図である。
【符号の説明】
【００１６】      １    １号針１                                    Ａ    餌本体
２    ２号針２                                    Ｂ    餌頭部
３    ３号針３                                    Ｃ    餌腹部
４    スナップ取り付けの輪                        Ｄ    餌尾部
５    針を針先の方に曲げた部分または返り
６    ロットと針の結合部
７    ロットと針の結合部
８    夜光付ゴム
９    夜光付ゴム
１０    ロット
１１    針の輪
１２    釣り糸
１３    スナップ
１４    ギヤング針
１５    タチウオ針２段目の取り付けの輪
１６    天秤部の主軸
１７    重り
【図１】
0003150027.tif 000003
【図２】
0003150027.tif 000004
【図３】
0003150027.tif 000005
【図４】
0003150027.tif 000006
【図５】
0003150027.tif 000007
【図６】
0003150027.tif 000008
【手続補正書】
【提出日】平成20年11月7日(2008.11.7)
【手続補正１】
【補正対象書類名】明細書
【補正対象項目名】００１６
【補正方法】変更
【補正の内容】
【００１６】
【図１】本考案の第１実施例による釣り針の正面図である。
【図２】本考案の第１実施例による釣り針の上面図である。
【図３】本考案の第１実施例による釣り針に餌を取り付けた正面図である。
【図４】本考案の第１実施例による釣り針にギャング針を上下部に取り付けた正面図である。
【図５】同上の異なる実施例を示す正面図である。
【図６】同上の異なる実施例を示す正面図である。